(57)【要約】【課題】本発明は、パッティング時、真の直進性が保証されて正確なパッティングを実現できるリアルスピンゴルフボールの大量製造方法を提供するためのものである。【解決手段】本発明はリアルスピンゴルフボールの大量製造方法に関し、（ａ）水槽に複数個のゴルフボールが安着したフレームが水平に設置されて準備されたステップと、（ｂ）前記ゴルフボールが前記フレームから分離されて浮遊するまで前記水槽に水より比重の高い塩水を充填するステップと、（ｃ）浮遊された前記ゴルフボールが停止した状態で前記水槽から充填された前記塩水を前記ゴルフボールが揺れないように排水して前記ゴルフボールを前記フレームに安着させるステップと、（ｄ）前記ゴルフボールの上部中心を通過するパッティングラインを各々表示するステップとから構成される。【選択図】図３
2015517844.tif 000002
【特許請求の範囲】
【請求項１】
（ａ）水槽に複数個のゴルフボールが安着したフレームが水平に設置されて準備されたステップと、
（ｂ）前記ゴルフボールが前記フレームから分離されて浮遊するまで前記水槽に水より比重の高い塩水を充填するステップと、
（ｃ）浮遊された前記ゴルフボールが停止した状態で前記水槽から充填された前記塩水を前記ゴルフボールが揺れないように排水して前記ゴルフボールを前記フレームに安着させるステップと、
（ｄ）前記ゴルフボールの上部中心を通過するパッティングラインを各々表示するステップと、
を含むリアルスピンゴルフボールの大量製造方法。
【請求項２】
前記（ｃ）ステップは、
（ｅ）前記ゴルフボールの上部中心にマークを各々表示するステップと、
（ｆ）前記ゴルフボールを洗滌して乾燥するステップと、
から構成されることを特徴とする、請求項１に記載のリアルスピンゴルフボールの大量製造方法。
【請求項３】
前記フレームは、前記ゴルフボールが離隔するように安着できる複数個の貫通孔が形成されたことを特徴とする、請求項１に記載のリアルスピンゴルフボールの大量製造方法。
【請求項４】
前記塩水の比重は１．３から１．５であることを特徴とする、請求項１に記載のリアルスピンゴルフボールの大量製造方法。
【発明の詳細な説明】
【技術分野】
【０００１】
本発明は、パッティング時、真の直進性が保証されるリアルスピンゴルフボールの大量製造方法に関するものである。
【背景技術】
【０００２】
米国の有名ＰＧＡプロゴルファーであるデイブペルツ（Dave Pelz）の実験によれば、重心が合わないゴルフボールは３ｍパッティング時、６．５ｃｍの誤差が発生すると報告されている。しかしながら、現在製造される全てのゴルフボールは重心が合わなくて上記の実験のように誤差に生じてパッティングラインをよく読んで実力が卓越しているとしてもホールにゴルフボールを入れることが容易でなかった。
【０００３】
このような問題点を解消するための一方案として、日本国特開平第２００９−８００８０号（公開日付：２００９年４月１６日、発明の名称“球体の偏心量計測器）は、食塩水のようにゴルフボールより比重の大きい水溶液を用いてゴルフボールの偏重量を計測する技術が提案されているが、このような従来技術はゴルフボールの偏心量のみを計測するだけであり、ゴルフボールの中心（パッティングライン）を表示できないという短所があった。
【０００４】
また、大韓民国実用新案登録第１９９６７１号（登録日付：２０００年８月３日、考案の名称：ゴルフボール回転中心表示装置）は、内部空間が形成された胴体、前記胴体の内部空間に設置され、その上面にゴルフボールを載置して回転させるための回転盤、及び前記回転盤に回転力を提供する手段を含み、かつ前記回転力提供手段は、胴体の外周面に設置されたスイッチ、前記スイッチのオン−オフ開閉によって電源を印加するバッテリー、及び前記胴体の内部に設置されてバッテリーの電源の印加を受けて回転し、前記回転盤に回転力を提供するための軸が備えられたモータを含むゴルフボール回転中心表示装置が提案された。
【０００５】
しかしながら、このような従来技術のゴルフボール回転中心表示装置は、構成が非常に複雑で、特にゴルフボールの回転中心を１つずつ表示する構成であって、量産が不可能な根本的な問題点が相変わらず残っていた。
【先行技術文献】
【特許文献】
【０００６】
【特許文献１】日本国特開平第２００９−８００８０号（公開日：２００９年４月１６日）
【特許文献２】大韓民国実用新案登録第１９９６７１号（登録日：２０００年８月３日）
【発明の概要】
【発明が解決しようとする課題】
【０００７】
前記のような問題点を解決しようと案出された本発明の目的は、パッティング時、真の直進性が保証されて正確なパッティングを実現するようになるリアルスピンゴルフボールの量産方法を提供することにある。
【課題を解決するための手段】
【０００８】
このような本発明の目的は、（ａ）水槽に複数個のゴルフボールが安着したフレームが水平に設置されて準備されたステップと、（ｂ）前記ゴルフボールが前記フレームから分離されて浮遊するまで前記水槽に水より比重の高い塩水を充填するステップと、（ｃ）浮遊された前記ゴルフボールが停止した状態で前記水槽から充填された前記塩水を前記ゴルフボールが揺れないように排水して前記ゴルフボールを前記フレームに安着させるステップと、（ｄ）前記ゴルフボールの上部中心を通過するパッティングラインを各々表示するステップとを含むリアルスピンゴルフボールの大量製造方法により達成できる。
【０００９】
より詳しくは、本発明の前記（ｃ）ステップは、（ｅ）前記ゴルフボールの上部中心にマークを各々表示するステップと、（ｆ）前記ゴルフボールを洗滌して乾燥するステップとから構成される。
【００１０】
より詳しくは、本発明の前記フレームは、前記ゴルフボールが離隔するように安着できる複数個の貫通孔が形成されたことを特徴とする。
【００１１】
より詳しくは、本発明の前記塩水の比重は１．３から１．５であることを特徴とする。
【発明の効果】
【００１２】
以上のような本発明の方法は、パッティング時、真の直進性が保証されるゴルフボールを量産できる効果がある。
【図面の簡単な説明】
【００１３】
【図１】本発明の一実施形態によるリアルスピンゴルフボールの量産工程を概略的に示す断面図である。
【図２】本発明の一実施形態によるリアルスピンゴルフボールの量産工程を概略的に示す断面図である。
【図３】本発明の一実施形態によるリアルスピンゴルフボールの量産工程を概略的に示す断面図である。
【発明を実施するための形態】
【００１４】
以下、本発明の実施形態を図面を参照して説明する。
【００１５】
図１から図３を参照すると、本発明の実施形態は、次の通りである。
【００１６】
まず、本発明に適用される水槽１は上部面が開放された構造を有する。
【００１７】
水槽１の底面には水平を維持するベースフレーム２が設置されている。ここで、水槽１の底面が好ましい水平度を維持する場合にはベースフレーム２を設置しないことがある。
【００１８】
ベースフレーム２の上部面に複数個のゴルフボール４が安着したフレーム３が提供される。本発明の図面にはフレーム３が１つのものが表示されているが、これに限定されず、生産目的によって数十から数百まで提供できることを予め明らかにする。
【００１９】
ここで、フレーム３はゴルフボール４の外周縁を拘束または拘束解除できる複数個の貫通孔３ａが形成されており、貫通孔３ａの上部開口部は図３の拡大図に示すようにラウンド処理３ｂされている。
【００２０】
このように複数個のゴルフボール４が安着したフレーム３がベースフレーム２の上部面に提供されて準備されれば、水より比重の高い塩水を水槽１の底面隣接位置から供給する。ここで、塩水はゴルフボール４がフレーム３の貫通孔３ａから分離されて浮遊するが、貫通孔３ａから完全に離脱しない位置まで充填される（図３の拡大図参照）。より詳しくは、 本発明に適用される塩水は比重が１．３から１．５位であるが、これに限定されないことを予め明らかにする。
【００２１】
次に、一定時間が経過すれば、塩水の充填によって揺動していたゴルフボール４が停止する。ここで、停止したゴルフボール４は重い部分が下方に位置する。
【００２２】
停止したゴルフボール４が動かないように水槽１に充填された塩水を動かないようにゆっくり排水する。この際、ゴルフボール４はフレーム３の貫通孔３ａにまた安着する。
【００２３】
次に、ゴルフボール４の上部中心を通過するパッティングラインを表示して完成する。ここで、パッティングラインを表示する工程は、次のような工程に細分化できる。
【００２４】
まず、フレーム３の貫通孔３ａに安着したゴルフボール４の上部中心にマークをし、ゴルフボール４の表面を洗滌して乾燥する。
【００２５】
次に、フレーム３をベースフレーム２から分離した後、ゴルフボール４の上部に表示されたマークを通過するパッティングラインを印刷して完成する。
【００２６】
ここで、未説明符号Ｒｓｗは塩水タンクであり、Ｐ１及びＰ２は給水及び排水ポンプである。
【００２７】
結果的に、本発明は完壁な直進性を保証するゴルフボールを提供できるので、ゴルファーのパッティングを積極的に助力することができる。
【００２８】
以上のような本発明は一実施形態に限定されて説明されたが、これに限定されず、本発明の技術的思想に基づいて変形される実施形態は全て本発明の権利範囲に属することが明らかである。
【符号の説明】
【００２９】
１    水槽
２    ベースフレーム
３    フレーム
４    ゴルフボール
【図１】
2015517844.tif 000003
【図２】
2015517844.tif 000004
【図３】
2015517844.tif 000005
【国際調査報告】
2015517844.tif 000006
2015517844.tif 000007
2015517844.tif 000008
2015517844.tif 000009